(57)【要約】【課題】かご内の汚れた空気をかご内から昇降路の外へ排出する、簡易な構成のかご内強制換気装置を提供する。【解決手段】かご室１内から昇降路外部へ直接通じるダクトを設けた。かご内強制換気装置１００は、かご側ダクト７、かご側換気ファン７ｂ、ベルト装置９０、ベルト装置９０を収納する昇降路垂直ダクト８、上部ダクト１１ａ、下部ダクト１３ａを備えた。かご側ダクト７の一方の開口部は、かご室１に取り付けられており、排気口となる他方の開口はベルト装置９０のベルト１０の開口部に取り付けられている。かご室１と一緒にかご側ダクト７も昇降するが、その際、ベルト１０はかご側ダクト７に引きずられてかご側ダクト７の昇降にあわせて昇降する。かご室１内の空気は、かご側ファン７ｂによってかご側ダクト７を介して昇降路垂直ダクト８内に排出され、排出された空気は上部ダクト１１ａから昇降路の外部に排出される。【選択図】図４
2010269856.tif 000002
【特許請求の範囲】
【請求項１】
かごの室内を強制換気するエレベータのかご内強制換気装置において、
空気の吸入口となる開口と空気の排出口となる開口との２つの開口が形成されていると共に、吸入口となる一方の開口側が前記かごに取り付けられて前記かごとともに昇降するかご側ダクトと、
前記かごの室内の空気を前記かご側ダクトを介して排出するかご側ファンと、
ベルト装置であって、
前記かごが昇降する昇降路の上方の所定位置に設置される第１ベルト車と、
前記昇降路の下方の所定位置に設置される第２ベルト車と、
前記第１ベルト車と前記第２ベルト車とに巻掛けされると共に、形成された開口に前記かご側ダクトの排出口となる他方の開口側が取り付けられ、前記かごとともに昇降する前記かご側ダクトの前記他方の開口側によって前記昇降路の上方へ持ち上げられ、あるいは下方へ押し下げられることで前記第１ベルト車と前記第２ベルト車とを介して前記かごの昇降に連動して動くベルトと
を有するベルト装置と、
前記ベルト装置を収納すると共に空気の通り道となる収納ダクトであって、前記かごとともに昇降する前記かご側ダクトの前記他方の開口側の昇降行程を確保し、かつ、前記ベルトによって塞がれる第１の開口が形成され、前記他方の開口側の昇降行程の最上の位置よりも上方の位置に第２の開口が形成され、また、前記他方の開口側の昇降行程の最下の位置よりも下方の位置に第３の開口が形成された収納ダクトと、
前記収納ダクトの前記第２の開口と前記昇降路の外部とをつなぐ上部ダクトと、
前記収納ダクトの前記第３の開口と前記昇降路の外部とをつなぐ下部ダクトと
を備えたことを特徴とするエレベータのかご内強制換気装置。
【請求項２】
前記エレベータのかご内強制換気装置は、さらに、
上部ダクト側と下部ダクト側との少なくともいずれかに、換気ファンを備えたことを特徴とする請求項１記載のエレベータのかご内強制換気装置。
【請求項３】
前記収納ダクトは、
前記ベルトによって塞がれる前記開口部に、前記ベルトの幅をなす両側を前記ベルトの動く方向に沿って所定の長さにわたりガイドするベルトガイド部を備えたことを特徴とする請求項１または２のいずれかに記載のエレベータのかご内強制換気装置。
【請求項４】
前記かご側ダクトは、
排出口となる開口よりも排出される空気の上流側に、防塵フィルタを備えたことを特徴とする請求項１〜３のいずれかに記載のエレベータのかご内強制換気装置。
【請求項５】
前記換気ファンは、
有圧換気ファンであることを特徴とする請求項１〜４のいずれかに記載のエレベータのかご内強制換気装置。
【発明の詳細な説明】
【技術分野】
【０００１】
この発明は、エレベータのかご室の強制換気装置に関する。
【背景技術】
【０００２】
マンションなどのエレベータは生活環境と同居しているため、朝の出勤時に生ゴミを運ぶ人もあり、その直後に乗り込むと生ゴミの腐った特有のにおいが残っており、乗客が不愉快になることがあった。
【０００３】
特許文献１は、従来のかご室の換気装置を示す。特許文献１では、昇降路内の空気をかご室の天井からフアンにより取り込み、かご室の幅木部分の隙間から昇降路内に排出する技術を示している。特許文献２は、従来のかご室の換気装置を示すものであるが、昇降路内の空気をかご室の天井からフアンによりかご内に取り込んで、かご内の汚れた空気を腰部分のかべ穴から昇降路へ排出する。特許文献３は、昇降路内の空気を昇降路の各階の乗場上部から吸入して、併設した排出口から排出する。
【先行技術文献】
【特許文献】
【０００４】
【特許文献１】特開昭４９−１３５３５１号公報（第１図）
【特許文献２】実開昭５９−３３８７７号公報（第３図）
【特許文献３】特開２００３−１１２８７４号公報（第１図から第３図）
【発明の概要】
【発明が解決しようとする課題】
【０００５】
特許文献１、２では、昇降路内の空気をかご室天井から吸入して床に近い位置から昇降路へ放出するため、昇降路内の空気が汚れ、いつまでも匂いが残るといった課題があった。特許文献３では、昇降路内の空気を外部から取り込んで再び昇降路内の空気を外部に放出するのであるが、これは昇降路内の温度が基準を上回ると機器の冷却のため昇降路内に外気を取り込むものであり、昇降路内の汚れた空気を入れ換えるものではない。これらの換気装置は、かご内から直接昇降路の外部に通じた換気通路がないため、先に述べたように生ゴミを運んだ匂いが抜けないといった課題があった。
【０００６】
この発明は、かご内の汚れた空気をかご外、さらに、昇降路の外へ排出するかご内強制換気装置の提供を目的とする。
【課題を解決するための手段】
【０００７】
この発明のエレベータのかご内強制換気装置は、
かごの室内を強制換気するエレベータのかご内強制換気装置において、
空気の吸入口となる開口と空気の排出口となる開口との２つの開口が形成されていると共に、吸入口となる一方の開口側が前記かごに取り付けられて前記かごとともに昇降するかご側ダクトと、
前記かごの室内の空気を前記かご側ダクトを介して排出するかご側ファンと、
ベルト装置であって、
前記かごが昇降する昇降路の上方の所定位置に設置される第１ベルト車と、
前記昇降路の下方の所定位置に設置される第２ベルト車と、
前記第１ベルト車と前記第２ベルト車とに巻掛けされると共に、形成された開口に前記かご側ダクトの排出口となる他方の開口側が取り付けられ、前記かごとともに昇降する前記かご側ダクトの前記他方の開口側によって前記昇降路の上方へ持ち上げられ、あるいは下方へ押し下げられることで前記第１ベルト車と前記第２ベルト車とを介して前記かごの昇降に連動して動くベルトと
を有するベルト装置と、
前記ベルト装置を収納すると共に空気の通り道となる収納ダクトであって、前記かごとともに昇降する前記かご側ダクトの前記他方の開口側の昇降行程を確保し、かつ、前記ベルトによって塞がれる第１の開口が形成され、前記他方の開口側の昇降行程の最上の位置よりも上方の位置に第２の開口が形成され、また、前記他方の開口側の昇降行程の最下の位置よりも下方の位置に第３の開口が形成された収納ダクトと、
前記収納ダクトの前記第２の開口と前記昇降路の外部とをつなぐ上部ダクトと、
前記収納ダクトの前記第３の開口と前記昇降路の外部とをつなぐ下部ダクトと
を備えたことを特徴とする。
【発明の効果】
【０００８】
この発明のエレベータのかご内強制換気装置により、昇降路内に匂いが充満することを防止することができる。
【図面の簡単な説明】
【０００９】
【図１】実施の形態１における、昇降路の縦断面図。
【図２】実施の形態１における、かご内強制換気装置１００の分解斜視図。
【図３】実施の形態１における、かご側ダクト７の昇降行程７ｄとダクト開口部８ｂとの関係を説明する図。
【図４】実施の形態１における、かご内強制換気装置１００の斜視図。
【図５】実施の形態１における、図１の断面Ａ−Ａ。
【図６】実施の形態１における、図１のＢ部、Ｃ部、Ｄ部の詳細図。
【発明を実施するための形態】
【００１０】
実施の形態１．
図１〜図６を参照して、実施の形態１における、エレベータのかご内強制換気装置１００を説明する。まず。図１〜図４を参照して、かご内強制換気装置１００の構成を説明する。
【００１１】
以下に説明するかご内強制換気装置１００は、かご内から昇降路を経由して昇降路外部と直接通じるダクトを備えている。エレベータのかごは垂直に昇降運転しているため、かご室に備えたかご側ダクト７は、昇降路に備えた昇降路垂直ダクト８内のベルトの開口とつなげられている。昇降路垂直ダクト８内において、ベルト１０は上下のベルト車に無端状に巻き付けられている。また、昇降路垂直ダクト８の上下側面には、昇降路外部に通じるダクトが取り付けられている。
【００１２】
（昇降路内の全体構成）
図１は、かご室１がある階に位置している場合を示している。乗場床６、乗場戸４、かご戸３、及びかご室１等を示している。かご室１には、天井に昇降路３０の空気を吸い込むかご天井フアン１７が設置されている。また、乗客１５が生ゴミ袋１６をぶら下げた腰部分の高さ（かご床２から上方の位置）に、排気用のかご側ダクト７が取り付けられている。かご側ダクト７のかご室内側のダクト表面（かご内空気の吸入口）には、化粧カバー７ａと、かご側フィルタ７ｃ（防塵フィルタ）と、かご側換気ファン７ｂが設置されている。かご側フィルタ７ｃは、かご側ダクト７の排出口となる開口よりも排気の上流に設置されている。かご側ダクト７は、昇降路３０内の昇降路垂直ダクト８に収納されたベルト装置９０の無端状のベルト１０のベルト開口部１０ａに繋げられている。なお、ベルト装置９０の構造は、かご内強制換気装置１００の構造とともに後述する。
【００１３】
（かご内強制換気装置１００の構成）
図２を参照して、かご内強制換気装置１００の構造を説明する。図２に示すように、かご内強制換気装置１００は、かご側ダクト７と、かご側換気ファン７ｂと、ベルト装置９０と、昇降路垂直ダクト８と、上部ダクト１１ａと、下部ダクト１３ａとを備えている。
【００１４】
図２は、ベルト装置９０が、昇降路垂直ダクト８に収納される状態を示している。図２を参照して、ベルト装置９０と昇降路垂直ダクト８との構成を説明する。
【００１５】
（ベルト装置９０の構造）
図２に示すように、ベルト装置９０は、ベルト車９−１（第１ベルト車）、ベルト車９−２（第２ベルト車）、これらのベルト車に巻掛けされるベルト１０を備えている。ベルト車９−１、ベルト車９−２はそれぞれ、ベルト車軸９ａ−１，ベルト車軸９ａ−２を有している。昇降路垂直ダクト８には、ベルト車軸を受ける軸用穴８ｃ−１、８ｃ−２が形成されている。ベルト車軸９ａ−１が軸用穴８ｃ−１にはまり、ベルト車軸９ａ−２が軸用穴８ｃ−２にはまることで、ベルト装置９０は、昇降路垂直ダクト８に収納（設置）される。ベルト１０には、かご側ダクト７の排気口となる開口側が取り付けられるが、その取り付け部分にはベルト開口部１０ａが形成されている。このため、かご側ダクト７の排出口から排出された空気は、昇降路垂直ダクト８の内部に流入する。なお、かご側ダクト７とベルト開口部１０ａとの接続は、例えばベルト開口部１０ａの縁に沿った周形状の周形状部材１０ｂと、かご側ダクト７の排出口となる開口側とを接続する。周形状部材１０ｂは、例えば枠形状とすればよい。
【００１６】
（昇降路垂直ダクト８）
昇降路垂直ダクト８は、上記のようにベルト装置９０が収納される。
【００１７】
（開口８ｂ）
昇降路垂直ダクト８には、図２に示すように、かご室１に臨む面には、ダクト開口部８ｂ（第１の開口）が形成されている。かご内強制換気装置１００は、図１に示すように、昇降路３０に設置される。昇降路垂直ダクト８は、昇降路３０の下方から上方に向かって略垂直に、昇降路後ろ壁５の全面に設置される。すなわち、図２に示すように、昇降路垂直ダクト８は断面が中空の矩形形状である。昇降路垂直ダクト８は図１あるいは後述の図５に示すように、昇降路後ろ壁５に面した面（底面という）に対向する面（上面という）は、かご室１に面している。上面（かごに臨む面）には、開口（ダクト開口８ｂ）が形成されている。このダクト開口部８ｂは、ベルト装置９０が昇降路垂直ダクト８に収納されて昇降路３０に設置された場合、かご室１とともに昇降するかご側ダクト７の排出口となる開口側の昇降行程を確保（干渉防止）のためである。
【００１８】
図３は、かご側ダクト７の昇降行程７ｄとダクト開口部８ｂとの関係を説明する図である。かご室１の昇降行程において、かご室１の最も低い位置はＢであり、最も高い位置はＡであるとすると、かご側ダクト７の昇降行程７ｄは、図３に示す範囲である。このため、かご側ダクト７のベルト１０への取付側と昇降路垂直ダクト８とが干渉しないように、ダクト開口部８ｂの上端８ｄ−１は位置Ａにおけるかご側ダクト７の最上部よりも高い位置になるように、かつ、ダクト開口部８ｂの下端８ｄ−２は位置Ｂにおけるかご側ダクト７の最下部よりも低い位置になるように、ダクト開口部８ｂは形成されている。
【００１９】
図４は、かご内強制換気装置１００の斜視図である。図４に示すように、昇降路垂直ダクト８はベルト装置９０が収納されると、ダクト開口部８ｂがベルト１０によって塞がれる。これによって、かご側ダクト７から昇降路垂直ダクト８の中に排出されたかご室１内のよごれた空気は昇降路３０にもれない。なお、ダクト開口部８ｂには、図２に示すように側面に隔て板８ａ（ベルトガイド部）が設けられており、ベルト１０の端と昇降路垂直ダクト８の側板との隙間を塞いでいる。すなわち昇降路垂直ダクト８は、ベルト１０によって塞がれるダクト開口部８ｂに、ベルト１０の幅をなす両側をベルト１０の動く方向に沿って所定の長さにわたりガイドする隔て板８ａ（ベルトガイド部）を備えている。
【００２０】
（垂直ダクトの上部開口、下部開口）
また図４に示すように、昇降路垂直ダクト８の上部には垂直ダクト上部開口１１（第２の開口）が形成され、昇降路垂直ダクト８の下部には垂直ダクト下部開口１３（第３の開口）が形成されている。また、図３に示すように、垂直ダクト上部開口１１は、かご側ダクト７の昇降行程の最上位置よりもさらに上方の位置に形成されている。また、垂直ダクト下部開口１３は、かご側ダクト７の昇降行程の最下位置よりもさらに下方の位置に形成されている。これにより、かご側ダクト７の排出側の開口から排出された空気を効率的に昇降路３０の外部へ排出できる。
【００２１】
なお、図３等に示すよう、ベルト車９−１は垂直ダクト上部開口１１よりもさらに昇降路の上方に設定されている。またベルト車９−１は垂直ダクト下部開口１３よりもさらに昇降路の下方に設置されている。
【００２２】
図４を参照して、各ダクトの接続を説明する。図４に示すように、かご側ダクト７の排出口となる開口側がベルト開口部１０ａ取り付けられる。そして、昇降路垂直ダクト８の垂直ダクト上部開口１１には、この垂直ダクト上部開口１１と昇降路３０の外部とをつなぐ上部ダクト１１ａが取り付けられている。上部ダクト１１ａは、昇降路後ろ壁５にあけられた昇降路上部壁穴１２ａを経由して昇降路３０の外部とつながっている。昇降路上部壁穴１２ａの外部側には外部上方ダクトカバー１２（雨避けカバー）が取り付けられている。同様に、昇降路垂直ダクト８の垂直ダクト下部開口１３には、この垂直ダクト下部開口１３と昇降路３０の外部とをつなぐ下部ダクト１３ａが取り付けられている。下部ダクト１３ａは、昇降路後ろ壁５にあけられた昇降路下部壁穴１４ａを経由して昇降路３０の外部とつながっている。昇降路下部壁穴１４ａの外部側には外部下方ダクトカバー１４（雨避けカバー）が取り付けられている。
【００２３】
（ベルト装置９０のベルト１０の動き）
図４を参照して、ベルト１０の動きを説明する。かご室１は昇降路３０を上下に垂直移動運転を行うが、昇降路垂直ダクト８内のベルト１０やベルト車は動力を伝えるものではない。すなわち、ベルト装置９０において、ベルト１０は、例えば摩擦の極めて小さい平面で物体を動かすのと同様に、動かすに際して、抵抗なく動かすことができるのが理想である。よってベルト１０は薄く軽いもので良く、ベルト車もかご状の軽いもので良い。ベルト１０はかごの垂直移動によりかご側ダクト７に引きつられることによりベルト車とともに回転するが、ベルト装置９０の構成要素はどれも軽いので、エレベータの運転の妨げ力としては微量である。このように、ベルト１０はかご室１とともに昇降するかご側ダクト７の排出となる開口側によって昇降路３０の上方へ持ち上げられ、あるいは下方へ押し下げられることでベルト車９−１とベルト車９−２とを介してかご室１の昇降に連動して動く。
【００２４】
次に図１、図５、図６を参照して、空気の流れを説明する。図５は、図１の断面Ａ−Ａである。図６は、図１のＢ部、Ｃ部、Ｄ部の詳細図である。
【００２５】
（換気ファン）
図１、図４などに示すように、かご内強制換気装置１００は、ダクトなど空気流通経路が長いので要所にファンを備えている。図１、図４では、かご室１、上部ダクト１１ａ側、下部ダクト１３ａ側の３か所に換気ファンを備えた場合を示したが、一例である。すなわち、かご側ダクト７および昇降路垂直ダクト８の昇降路壁の上下の開口部の３箇所に換気ファンを設置しているが、換気ファンは、流速を補う必要に応じて増やせば良い。図１、図４において、かご側換気ファン７ｂは、かご室１内部の空気を吸い込んで、かご側ダクト７を介して昇降路垂直ダクト８内に排出する。下部換気ファン１３ｂは、昇降路外部から昇降路垂直ダクト８の内部へと空気を吸い込む。上部換気ファン１１ｂは、昇降路垂直ダクト８内部の空気を上部ダクト１１ａを介して昇降路の外部へ排出する。なお換気ファンとして、有圧換気ファンを用いてもよい。
【００２６】
（空気の流れ）
かご内排出空気は、かご側ダクト７から昇降路垂直ダクト８のベルト１０（ベルト開口部１０ａ）を経由し、上部ダクト１１ａから昇降路３０の外部に排出される。また、昇降路垂直ダクト８では、外部下方ダクトカバー１４から取り込まれた昇降路外部の空気は、下部ダクト１３ａを介して昇降路垂直ダクト８内に入り、上部ダクト１１ａを介して外部上方ダクトカバー１２から昇降路外部に排出される。このため、かご室１内部の汚れた空気は昇降路垂直ダクト８内でこの流れに誘導されて外部に放出される。なお、上部換気ファン１１ｂが昇降路外部から昇降路垂直ダクト８の内部へと空気を吸い込み、下部換気ファン１３ｂが昇降路垂直ダクト８内部の空気を下部ダクト１３ａを介して昇降路３０の外部へ排出するようにしてもよい。この場合、空気の流れは、昇降路垂直ダクト８内を上方から下方に向かう。
【００２７】
かご内強制換気装置１００により、かご内の匂いのある、汚れた空気は直接ダクトで昇降路外部に放出されるので、確実に匂いを短時間で排除することができる。
【００２８】
実施の形態１ではマンションの生ゴミ処理にかんする匂い除去の例で説明したが、これに限らず、ビル内のエレベータによる生ゴミ搬送や、有毒な匂いのあるガスなどを運ぶエレベータにも適用できる。
【００２９】
実施の形態１のかご内強制換気装置１００は、かご側ダクト７の排出口側が取り付けられたベルト装置９０と、ベルト装置９０を格納する昇降路垂直ダクト８とを備えたので、簡易な構成で、かご内の汚れた空気を昇降路３０の外部に排気できる。
【００３０】
実施の形態１のかご内強制換気装置１００は、昇降路垂直ダクト８の上部ダクトと下部ダクトに換気ファンを備えたので、かご内の汚れた空気を昇降路３０の外部にさらに効率てきに排気できる。
【００３１】
実施の形態１のかご内強制換気装置１００は、昇降路垂直ダクト８が隔て板８ａ（ベルトガイド部）を備えたので、ベルト１０の動きを安定させることができると共に、かご側ダクト７から昇降路垂直ダクト８に排気されたかご内のよごれた空気が昇降路３０に漏れにくくすることができる。
【００３２】
実施の形態１のかご内強制換気装置１００は、かご側ダクト７の上流側に防塵フィルタを備えたので、埃やごみが昇降路３０の外部に排出されるのを防止できる。
【００３３】
実施の形態１のかご内強制換気装置１００は、換気ファンとして有圧換気ファンを使用するので、かご室内のよごれた空気を効率よく排気できる。
【００３４】
以上の実施の形態１では、
昇降路内を上下に移動するエレベータのかご室に昇降路内の空気を取入れるフアン付きの換気装置を備え、かご内の空気を排出するダクトを昇降路内のベルトの開口部に取付け、ベルトは昇降路内の上下にベルト車を備えそれにベルトを巻き付けたことを特徴とするかご内強制換気装置を説明した。
【００３５】
以上の実施の形態１では、
前記ベルトとベルト車は昇降路に配置した垂直ダクトに入れたこと、また前記垂直ダクトはかご室に面した側に開口を備えたことおよび開口部にヒダ状の隔て板を備えたこと、また垂直ダクトの上端と下端の側面に開口と固定ダクトを備え前記固定ダクトは昇降路の壁の開口を通過させその外部に雨避けカバーを備えたことを特徴とするかご内強制換気装置を説明した。
【００３６】
以上の実施の形態１では、
前記かご内強制換気装置は換気流路が長いのでかご内の口、昇降路外部への流通路など要部にフアンを備えたかご内強制換気装置を説明した。
【００３７】
以上の実施の形態１では、
かご内強制換気装置のフアンを有圧喚気フアンにしたかご内強制換気装置を説明した。
【００３８】
以上の実施の形態１では、
換気装置のかご内空気吸い込み口は化粧カバーを備えたこと、また防塵フィルタを備えたことを特徴とするかご内強制換気装置を説明した。
【符号の説明】
【００３９】
１  かご室、２  かご床、３  かご戸、４  乗場戸、５  昇降路後ろ壁、６  乗場床、７  かご側ダクト、７ａ  化粧カバー、７ｂ  かご側換気ファン、７ｃ  かご側フィルタ、８  昇降路垂直ダクト、８ａ  隔て板、８ｂ  ダクト開口部、８ｃ−１，８ｃ−２  軸用穴、９−１，９−２  ベルト車、９ａ−１，９ａ−２  ベルト車軸、１０  ベルト、１０ａ  ベルト開口部、１０ｂ  周形状部材、１１  垂直ダクト上部開口、１１ａ  上部ダクト、１１ｂ  上部換気ファン、１２  外部上方ダクトカバー、１２ａ  昇降路上部壁穴、１３  垂直ダクト下部開口、１３ａ  下部ダクト、１３ｂ  下部換気ファン、１４  外部下方ダクトカバー、１４ａ  昇降路下部壁穴、１５  乗客、１６  生ゴミ袋、１７  かご天井フアン、１８  空気経路、３０  昇降路、９０  ベルト装置、１００  かご内強制換気装置。
【図１】
2010269856.tif 000003
【図２】
2010269856.tif 000004
【図３】
2010269856.tif 000005
【図４】
2010269856.tif 000006
【図５】
2010269856.tif 000007
【図６】
2010269856.tif 000008